(57)【特許請求の範囲】
【請求項１】
開口端部を有して周囲が囲繞されたちり受部と、ちり受部に立設された把手部とからなるちりとりにおいて、
把手部の所定の位置に有底筒状の支持筒を垂直方向に対して所定角度傾斜させて配置し、該支持筒に箒の柄部の上端部を挿通し、箒の掃き部を上にして所定角度に支持可能とし、該支持筒の底部を、箒の柄部の上端部を支持することができるとともに、水抜き可能としたことを特徴とするちりとり。
【請求項２】
支持筒を開口端部側に傾斜させて配置した請求項１記載のちりとり。
【請求項３】
請求項１又は２に記載のいずれかのちりとりと、掃き部と棒状の柄部とを有する箒からなり、ちりとりの支持筒に、箒の柄部の上端部を挿通することにより、掃き部を上方にして箒をちりとりに支持することを特徴とする清掃用具セット。
【発明の詳細な説明】
【技術分野】
【０００１】
本発明はちりとり及び清掃用具セットに関し、特には各種素材からなる箒の掃き部が地面に接して折れ曲がって癖付けられることがないように、掃き部を中空に保持した状態に箒を支持して保管することのできるちりとりと、該ちりとりに支持される箒からなる清掃用具セットに関するものである。
【背景技術】
【０００２】
箒は、植物の枝や繊維などを束ねてブラシまたは大型の筆状や刷毛状を呈する掃き部を棒状の柄部の先に装着したものであり、古来より主に掃除道具の一つとして床面や庭などの塵やごみを掃くために使用されている。用途としては室内の清掃に用いる座敷箒、庭など屋外にて用いる庭箒、小さな手箒から机上で使用する箒、或いは洋服ブラシまで多種多様なものが提供されている。また、掃き部の材質としては、ホウキギ（アカザ科）等の植物体を乾燥させてそのまま、あるいは枝を束ねて庭箒などとして用いる草箒、竹の枝を束ねた竹箒、シュロ（ヤシ科）の幹の繊維（シュロ皮・鬼毛）を用いたシュロ箒を始めポリプロピレンなどの合成繊維、パーム、シダ等が多く採用されている。
【０００３】
使用に際しては、手に持って床面や地面などを掃き、掃き集めたホコリ等は、ちりとりにて集めて廃棄している。そのため、ちりとりと箒は清掃用具セットとして一緒に保管されることが多い。
【０００４】
従来、庭等の屋外で使用されているちりとりと箒からなる清掃用具セットの構成を図８，図９に基づいて説明する。図８は一般的なちりとり１の平面図であり、ちりとり１は、一面に開口端部２ａを有して周囲が囲繞部２ｂによって所定高さに囲繞されたちり受部２と、ちり受部２から所定高さに立設された把手部３とから構成されている。把手部３は、図示例ではちり受部２の囲繞部２ｂの左右両端部からアーチ状に立設された起立片３ａと、起立片３ａの頂部と囲繞部２ｂの背部と起立片３ａの左右の中間部とを略十字状に結ぶ補助杆３ｂとから構成されている。
【０００５】
箒４は図９に示すように、ホウキギ，竹，シュロ等の所定の植物体を乾燥させて、或いは合成繊維をそのまま、あるいは束ねて成形した掃き部４ａと掃き部４ａから所定高さに立設された棒状の柄部４ｂから構成されている。そして、近時のちりとり１には、箒４の柄部４ｂを支持する凹部３ｃが起立片３ａの頂部に、開口端部２ａに向けて開口して形成されている。よって、ちりとり１と箒４は清掃用具セットとして図９に示すように、凹部３ｃに箒４の柄部４ｂを挿入して支持させることにより、箒４を起立させた状態でちりとり１と一体として保管収納される。
【０００６】
更に、近時は垂直方向の柄部を有するちりとりと、このちりとりの柄部の上部に着脱自在に取り付ける柄部を有する箒からなる清掃用具セットも提供されている（特許文献１）。かかる清掃用具セットによれば、箒の掃き部を一定高さの中空に支持させて保管することが可能である。
【特許文献１】特開２００５−２４５６６５号公報
【発明の開示】
【発明が解決しようとする課題】
【０００７】
図８，図９に示す従来のちりとり１と箒４からなる清掃用具セットによれば、清掃後の保管時において、箒４の掃き部４ａをちりとり１のちり受部２に設置させた状態で保管するため、箒４の重量を掃き部４ａで支えることとなるため、掃き部４ａが折れ曲がって癖付けられてしまい、使用しにくくなり、更に使用によって掃き部４ａが摩耗することによってより顕著に折れ曲がることとなり、益々使用し難くなるばかりか、見映えもよくない。
【０００８】
一方、特許文献１によれば、掃き部は一定高さの中空に支持されることとなるため、掃き部が箒の重力によって折れ曲がり、癖付けられることはないが、中空に支持するために箒の柄部をちりとりの柄部の上部に着脱するための操作を必要とし、そのための構成を必要とする。また、箒の柄部を回動させる等の動作を必要とするため、日々の実行が困難であり、又耐久性に欠けることとなる。
【０００９】
そこで本発明は上記従来の問題点に鑑みて、掃き部を単に中空に支持するのではなく、発想を転換して、箒の掃き部を上或いは横にした状態で中空に保持することにより、各種素材からなる箒の掃き部が地面に接して折れ曲がって癖付けられることがないちりとり及び清掃用具セットを提供することを目的とするものである。
【課題を解決するための手段】
【００１０】
本発明は上記目的を達成するために、開口端部を有して周囲が囲繞されたちり受部と、ちり受部に立設された把手部とからなるちりとりにおいて、把手部の所定の位置に有底筒状の支持筒を垂直方向に対して所定角度傾斜させて配置し、該支持筒に箒の柄部の上端部を挿通し、箒の掃き部を上にして所定角度に支持可能とし、該支持筒の底部を、箒の柄部の上端部を支持することができるとともに、水抜き可能としたちりとりを基本として提供する。
【００１１】
また、支持筒を開口端部側に傾斜させて配置した。
【００１２】
さらに、上記構成のちりとりと、掃き部と棒状の柄部を有する箒からなり、ちりとりの支持筒に、箒の柄部の上端部を挿通することにより、掃き部を上方にして箒をちりとりに支持する清掃用具セットを提供する。
【発明の効果】
【００１３】
本発明にかかるちりとり及び清掃用具セットによれば、箒は掃き部を上にして支持されるため、不使用時や保管時において掃き部がちりとりや地面に接することがない。そのため、各種素材からなる箒の掃き部が地面に接して折れ曲がって癖付けられることがなく、箒の操作が容易であって、掃き部を常に使用に適した状態に保管することができ、掃き部の減りが均等になる。また、その操作は箒の柄部を支持筒に支持させるだけであるので、特別の操作を必要とせず、簡単に行うことができる。
【発明を実施するための最良の形態】
【００１４】
以下、本発明にかかるちりとり及び清掃用具セットの最良の実施形態を説明する。図１〜図３は、本発明の実施形態を示す全体斜視図であり、図１はちりとり１を示し、図２，図３はちりとり１と箒４からなる清掃用具セットを示している。図において、従来例と同一の構成要素については同一の符号を用いて説明する。図１に示すように、ちりとり１は、一面に開口端部２ａを有して周囲が囲繞部２ｂによって所定高さに囲繞されたちり受部２と、ちり受部２から所定高さに立設された把手部３とから構成されている。把手部３は、図示例ではちり受部２の囲繞部２ｂの左右両端部からアーチ状に立設された起立片３ａと、起立片３ａの頂部と囲繞部２ｂの背部と起立片３ａの左右の中間部とを略十字状に結ぶ補助杆３ｂとから構成されている。これらの構成は従来例と同様である。
【００１５】
同様に使用する箒４も図２，図３に示すようにホウキギ，竹，シュロ等の所定の植物体を乾燥させて、或いは合成繊維をそのまま、あるいは束ねて成形した掃き部４ａと掃き部４ａから所定高さに立設された棒状の柄部４ｂから構成されている。
【００１６】
そして、本発明では、ちりとり１の把手部３の所定の位置に支持部として有底筒状の支持筒５がブラケット６を介して、開口端部２ａに臨むように補助杆３ｂに固着されている。この支持筒５は垂直方向に対して１０度〜２０度程度、開口端部２ａ側に傾斜させて配置してある。そして、支持筒５の内径は箒４の柄部４ｂが挿通可能な内径を有している。使用に際しては図２，図３に示すように、この支持筒５内に箒４の柄部４ｂを上端部から一定長さ挿通し、箒４の掃き部４ａを上にして、箒４が転倒することなく安定した状態で所定角度に支持することが可能である。また、支持筒５の底部は有底であり、柄部４ｂの上端部を支持することができるとともに、小孔が穿設されていたり、メッシュ状とすることによって、水抜きが可能な適宜の構成となっている。
【００１７】
また、支持筒５は箒４の柄部４ｂの上端部を挿通し、箒４の掃き部４ａを上にして所定角度に支持することができれば、起立片３ａの垂直部等の把手部３の任意の位置に固着することが可能であり、更には囲繞部２ｂの適宜の部分に固着することも可能である。なお、図１〜図３において、起立片３ａの上端部に図８に示す従来のちりとり１と同様の凹部が形成されているが、これは従来のちりとり１に本発明を実施したものであり、本発明では不要である。
【００１８】
図４は本発明の参考例を示す平面図、図５は全体斜視図であり、前記実施形態と同一の構成については同一の符号を付して、その説明を省略する。この参考例では、支持部が把手部３の起立片３ａの上端部に形成された支持環７として形成されている。使用に際しては、図５に示すように、この支持環７内に箒４の柄部４ｂを上端部から挿通して、上端部をちり受部２に支持させることにより、箒４の掃き部４ａを上にして、箒４が転倒することなく安定した状態で所定角度に支持することが可能である。
【００１９】
上記した実施形態及び参考例によれば、箒４は掃き部４ａを上にして、柄部４ｂを支持筒５に挿入して、或いは支持環７に挿通して支持されるため、不使用時や保管時において掃き部４ａがちり受部２や地面に接することがない。そのため、掃き部４ａが地面に接して折れ曲がって癖付けられることがなく、箒の操作が容易であって、掃き部を常に使用に適した状態に保管することができる。
【００２０】
図６，図７は本発明の他の参考例を示す全体斜視図であり、前記実施形態と同一の構成については同一の符号を付して、その説明を省略する。この他の参考例では、ちり受部２の囲繞部２ｂの左右両端部からアーチ状に立設された把手部３の左右の起立片３ａ，３ａの所定位置に箒４の柄部４ｂを水平方向に載置し、箒の掃き部４ａを水平方向に支持可能な左右一対の支持部が、略Ｔ字状の側面視を有する柄掛け部８ａ，８ｂとして形成されている。使用に際しては、図７に示すように、この柄掛け部８ａ，８ｂに箒４の柄部４ｂを水平方向に載置し、又は図示しないが一方の柄掛け部８ａ又は８ｂの下面に箒４の柄部４ｂの上端部を係止するとともに、他方の柄掛け部８ｂ又は８ａの上面に箒４の掃き部４ａ側の柄部４ｂを載置することにより、箒４が転倒することなく安定した状態で水平方向に支持することが可能である。
【産業上の利用可能性】
【００２１】
本発明によれば、各種素材からなる箒の掃き部が地面に接して折れ曲がって癖付けられることがないように、箒は掃き部を上にして支持されるため、不使用時や保管時において掃き部がちりとりや地面に接することがない。そのため、箒の操作が容易であって、掃き部を常に使用に適した状態に保管することができ、掃き部の減りが均等になる。また、その操作は箒の柄部を支持部に支持させるだけであるので、特別の操作を必要とせず、簡単に行うことができる。
【００２２】
また、本発明は主として、室内の清掃に用いる座敷箒、庭など屋外にて用いる庭箒、小さな手箒、机上で使用する箒、或いは洋服ブラシまで多種多様な箒に使用して有用である。
【図面の簡単な説明】
【００２３】
【図１】本発明の実施形態を示すちりとりの全体斜視図。
【図２】本発明の実施形態を示すちりとりと箒からなる清掃用具セットの側方からの全体斜視図。
【図３】本発明の実施形態を示すちりとりと箒からなる清掃用具セットの前方からの全体斜視図。
【図４】本発明の参考例を示すちりとりの平面図。
【図５】本発明の参考例を示すちりとりと箒からなる清掃用具セットの側方からの全体斜視図。
【図６】本発明の他の参考例を示すちりとりの全体斜視図。
【図７】本発明の他の参考例を示すちりとりと箒からなる清掃用具セットの側方からの全体斜視図。
【図８】従来のちりとりを示す平面図。
【図９】従来のちりとりと箒からなる清掃用具セットの側方からの全体斜視図。
【符号の説明】
【００２４】
１…ちりとり
２…ちり受部
２ａ…開口端部
２ｂ…囲繞部
３…把手部
３ａ…起立片
３ｂ…補助杆
３ｃ…凹部
４…箒
４ａ…掃き部
４ｂ…柄部
５…支持筒
６…ブラケット
７…支持環
８ａ，８ｂ…柄掛け部
【図１】
0004609951.tif 000002
【図２】
0004609951.tif 000003
【図３】
0004609951.tif 000004
【図４】
0004609951.tif 000005
【図５】
0004609951.tif 000006
【図６】
0004609951.tif 000007
【図７】
0004609951.tif 000008
【図８】
0004609951.tif 000009
【図９】
0004609951.tif 000010